(57)【要約】      （修正有）【課題】従来の印鑑は、印鑑には人差し指を位置させる工夫がなされておらず、印鑑を押した印影の角度が安定せず、傾いて押印されるという問題点があった。また、印鑑は棒状で装飾等がなされておらず、形状にユニークさが無いという問題点があった。【解決手段】下端端面に設けられた印字部２と、印字部よりも小径で上部に郵便物取出口を模擬した指掛け部４が形成された印鑑把持部５と、把持部よりも小径で郵便物投入口を模擬した郵便ポスト表示部が前記印字部の中心線と印鑑把持部と同一線上に形成された郵便ポストの外観形状を有することにより、上記課題を解決したものである。【選択図】図１
0003213937.tif 000002
【実用新案登録請求の範囲】
【請求項１】
下端端面に設けられた印字部と、前記印字部の上部に郵便物取出口を模擬した指掛け部が形成された印鑑把持部と、前記印鑑把持部の上部に郵便物投入口を模擬した郵便ポスト表示部が前記印字部の中心線と前記印鑑把持部と同一線上に形成された郵便ポストの外観形状を有することを特徴とする印鑑。
【請求項２】
前記印鑑を収納する収納部が内部に形成されているとともに、前記印鑑と類似する郵便ポストの外観形状を有することを特徴とする印鑑ケース。
【請求項３】
前記郵便ポストの外観形状の印鑑と、前記印鑑を収納する収納部が内部に形成されているとともに、前記印鑑と類似する外観形状の印鑑ケースとからなることを特徴とする印鑑セット。
【考案の詳細な説明】
【技術分野】
【０００１】  本考案は、印鑑と、前記印鑑を収納する印鑑ケースと、前記印鑑と印鑑ケースとからなる印鑑セットに関するものである。
【背景技術】
【０００２】  従来より、印鑑と印鑑を収納する印鑑ケースは種々販売されているが、印鑑には人差し指を位置させる工夫がなされておらず、印鑑を押した印影の角度が安定せず、傾いて押印されるという問題点があった。また、印鑑は棒状で装飾等がなされておらず、形状にユニークさが無いという問題点があった。【０００３】  上記問題点を解消するため、把持部となる直方体のホルダーを用いたものが特許文献１に提案されているが、どの面を人差し指を位置させるのか判らず、逆さまに押印したり、９０度傾いて押印する可能性があった。
【先行技術文献】
【特許文献】
【０００４】
【特許文献１】特開２０１０−１７９６２６号公報
【考案の概要】
【考案が解決しようとする課題】
【０００５】  本考案は、上記従来の課題を解決するためになされたものであり、印鑑を押した印影の角度が安定し、傾いて押印されるのを防止できるとともに、ユニークな印鑑及び印鑑セットを提供することにある。
【課題を解決するための手段】
【０００６】  上記課題を解決するため、本考案の印鑑は、下端端面に設けられた印字部と、前記印字部の上部に郵便物取出口を模擬した指掛け部が形成された印鑑把持部と、前記印鑑把持部の上部に郵便物投入口を模擬した郵便ポスト表示部が前記印字部の中心線と前記印鑑把持部と同一線上に形成された郵便ポストの外観形状を有することを特徴とする。
本考案の印鑑ケースは、前記印鑑を収納する収納部が内部に形成されているとともに、前記印鑑と類似する郵便ポストの外観形状を有することを特徴とする。
本考案の印鑑セットは、前記郵便ポストの外観形状の印鑑と、前記印鑑を収納する収納部が内部に形成されているとともに、前記印鑑と類似する外観形状の印鑑ケースとからなることを特徴とする。
【考案の効果】
【０００７】  本考案の印鑑は、下端端面に設けられた印字部と、前記印字部の上部に郵便物取出口を模擬した指掛け部が形成された印鑑把持部と、前記印鑑把持部の上部に郵便物投入口を模擬した郵便ポスト表示部が前記印字部の中心線と前記印鑑把持部と同一線上に形成された郵便ポストの外観形状を有することを特徴とするものであるから、印鑑を押した印影の角度が安定し、傾いて押印されるのを防止できるというと、郵便ポストの外観形状を有しており、形状がユニークであるという効果がある。
又、請求項２のように、印鑑ケースは、前記印鑑を収納する収納部が内部に形成されているとともに、前記印鑑と類似する郵便ポストの外観形状を有することを特徴とするものであるから、形状がユニークであるという効果がある。
又、請求項３のように、前記郵便ポストの外観形状の印鑑と、前記印鑑を収納する前記印鑑と類似する郵便ポストの外観形状の印鑑ケースとからなることを特徴とするものであるから、印鑑を押した印影の角度が安定し、傾いて押印されるのを防止できるという効果と、形状がユニークであるという効果がある。
【図面の簡単な説明】
【０００８】
【図１】図１は、本考案の印鑑の正面図。
【図２】図２は、同上の印鑑の裏面図。
【図３】図３は、同上の印鑑の右側面図。
【図４】図４は、同上の印鑑の底面図。
【図５】図５は、本考案の印鑑ケースの正面図。
【図６】図６は、本考案の印鑑ケースの裏面図。
【図７】図７は、本考案の印鑑ケースの右側面図。
【図８】図８は、本考案の印鑑ケースの左側面図。
【図９】図９は、本考案の印鑑ケースの内部構造図。
【図１０】図１０は、本考案の印鑑ケースの平面図。
【図１１】図１１は、本考案の印鑑ケースの底面図。
【図１２】図１２は、本考案の印鑑セットを示す図。
【考案を実施するための形態】
【０００９】  以下、本考案の実施の形態を図１乃至図１２に基づいて詳述すると、印鑑１は、全体形状が円柱状に形成されており、下端端面に設けられた印字部２と、印字部２よりも小径で上部に郵便物取出口３を模擬した指掛け部４が形成された印鑑把持部５と、把持部５よりも小径で上部に郵便物投入口６を模擬した郵便ポスト表示部７が印字部２の中心線と印鑑把持部５と同一線上に形成されており、郵便ポストの外観形状を有している。郵便物取出口３は、円柱部３ａから円柱部３ａの頂点と同一高さに突出して形成されており、郵便物取出口３に人差し指を掛け、円柱部３ａに親指と中指を位置させて印鑑１を保持することにより、印鑑を押した印影の角度が安定し、傾いて押印されることが無いのである。印鑑１は、木材系、角・牙系、金属系、合成樹脂系があり、全体色が赤色で郵便ポスト表示部７に白色が用いられているが、白色の塗色を行えばよい。
【００１０】  印鑑ケース８は、合成樹脂でできており、印鑑１を収納する横断面半円形の収納部９が内部に形成されているとともに、印鑑１と類似する郵便ポストの外観形状を有している。印鑑ケース８は、２つ割になっており、薄肉のヒンジ部１０を介して一体的に形成されており、ヒンジ部１０の反対位置には親指と人差し指を掛けて印鑑ケース８を開ける操作部１１が形成されている。印鑑ケース８の上部位置には印鑑１が収納され、印鑑１の印字部２が近接する下部位置には朱肉１２が設けられている。
【００１１】  印鑑セット１３は、郵便ポストの外観形状の印鑑１と、印鑑１を収納する収納部９が内部に形成されているとともに、印鑑１と類似する外観形状の印鑑ケース８とから構成されている。
【００１２】  実施例では、印鑑１は、合成樹脂で一体的に形成しても構わないが、印字部２を構成する下端部を木材系、角・牙系、金属系で形成し、接着しても構わないものである。
【００１３】  又、実施例では、印鑑ケース８は、２分割し薄肉のヒンジ部１０を介して一体的に形成したが、２分割した印鑑ケースの一方の側面に対となった凹部を形成し、他方の印鑑ケースに前記凹部に嵌合する対となった突起を形成し、凹部と突起とでヒンジを構成しても構わないものである。
【符号の説明】
【００１４】    １    印鑑
２    印字部
３    郵便物取出口
４    指掛け部
５    把持部
６    郵便物投入口
７    郵便ポスト表示部
８    印鑑ケース
９    収納部
１３    印鑑セット
【図１】
0003213937.tif 000003
【図２】
0003213937.tif 000004
【図３】
0003213937.tif 000005
【図４】
0003213937.tif 000006
【図５】
0003213937.tif 000007
【図６】
0003213937.tif 000008
【図７】
0003213937.tif 000009
【図８】
0003213937.tif 000010
【図９】
0003213937.tif 000011
【図１０】
0003213937.tif 000012
【図１１】
0003213937.tif 000013
【図１２】
0003213937.tif 000014
【手続補正書】
【提出日】平成29年9月29日(2017.9.29)
【手続補正１】
【補正対象書類名】実用新案登録請求の範囲
【補正対象項目名】全文
【補正方法】変更
【補正の内容】
【実用新案登録請求の範囲】
【請求項１】
下端端面に設けられた印字部と、前記印字部の上部に郵便物取出口を模擬した指掛け部が形成された印鑑把持部と、前記印鑑把持部の上部に郵便物投入口を模擬した郵便ポスト表示部が前記印字部の中心線と前記印鑑把持部と同一線上に形成された郵便ポストの外観形状を有することを特徴とする印鑑。
【請求項２】
請求項１に記載の印鑑を収納する収納部が内部に形成されているとともに、前記印鑑と類似する郵便ポストの外観形状を有することを特徴とする印鑑ケース。
【請求項３】
請求項１に記載の印鑑と、請求項２に記載の印鑑ケースとからなることを特徴とする印鑑セット。